(57)【特許請求の範囲】
【請求項１】
（ａ）濃縮液室を囲んでいる包装ハウジング、
（ｂ）上方に容器ハウジングを有する前記包装ハウジング、
（ｃ）下方にポンプハウジングを有する前記包装ハウジング、
（ｄ）充填用開口を持った上方壁と、底部開口を囲んでいる下方周囲の連結用エッジを持った側壁とを有する前記容器ハウジング、
（ｅ）ポンプ室を囲んでいて、かつ濃縮液の出口開口と前記連結用エッジと組み合うような寸法にされた上方周囲の取付け用エッジとを有する前記ポンプハウジング、
（ｆ）液漏れのない密閉状態で前記取付け用エッジに連結されている前記連結用エッジ、
（ｇ）液漏れのない密閉状態で前記充填用開口に設置された充填用プラグであって、液体の逃出しを防ぐために通常は閉鎖されそして濃縮液が押し出されたときに生ずる前記容器ハウジング内の低下した空気圧の下では前記容器ハウジング内への空気の流入を許すために開くようにされた一方向弁を有する前記充填用プラグ、
（ｈ）前記ポンプ室内に置かれたローターとステーター、前記ステーターの末端をその半径方向運動を許しつつ前記濃縮液出口に隣接して前記ポンプハウジングに対して封鎖する柔軟なベローズ、前記ポンプハウジングに連結されかつ前記ステーターの手前側の端部に当たり前記ステーターの軸方向の運動を防いでいる停止具を有する空洞進行式ポンプであって、前記ローターは前記ポンプハウジングを液漏れのない封鎖状態で通って前記ポンプハウジングの外側を伸びている駆動軸を有するポンプ、及び
（ｉ）前記ポンプハウジングに連結された混合ノズルであって、混合室、濃縮液入口開口から前記混合室内への濃縮液入口ポートに至る濃縮液通路、水の入口開口、前記水の入口開口から前記混合室内に至る水の通路、前記濃縮液入口開口より下流にあってかつ前記ポンプがポンプ作用をしていないときは前記混合室を前記濃縮液通路から分離するように閉じそしてポンプ作用中は開くようにされた遮断弁、及び前記混合室内への濃縮液の流れを広げる手段、並びに入ってくる水を高度に混合するために前記濃縮液の流れに向けるための手段を有する前記混合ノズル
を特徴とする、ポストミックス式ジュースディスペンサー内への挿入用のジュース濃縮液包装。
【請求項２】
前記容器ハウジングは水平方向断面が長方形であり２個の長い壁と２個の短い壁とを有し、更に前記容器ハウジングの内側にあって前記長い壁の間を連結している補強用リブを有する請求項１に説明された包装。
【請求項３】
前記容器室内の濃縮液のレベルを示すために前記包装ハウジングの内側に可動のフロート部材を有する請求項１に説明された包装。
【請求項４】
前記包装ハウジングの外壁上のラベルを有し、前記ラベルが反射部分と非反射部分とを含んでいる請求項１に説明された包装。
【請求項５】
前記充填用プラグが前記充填用開口に溶接された請求項１に説明された容器。
【請求項６】
前記混合ノズルを前記ポンプハウジングに回転可能に連結する手段を備え、これにより前記混合ノズルは輸送のために上方に伸びそして作動のために下方に伸びることができる請求項１に説明された包装。
【請求項７】
前記取付け用エッジが溝とシール用ビードとを有し、そして前記連結用エッジか前記溝の中に組み合って適合する舌状部を有する請求項１に説明された包装。
【請求項８】
前記溝は前記溝内に前記舌状部を保持するためにシール材のビードを有する請求項７に説明された包装。
【請求項９】
前記濃縮液の流れを広げる手段が前記混合室内への前記濃縮液入口ポートに置かれた遮断弁でもある混合用部材である請求項１に説明された包装。
【請求項１０】
前記混合用部材が自由に動けかつ前記ポンプが停止したときに前記入口ポートまで上昇する請求項９に説明された包装。
【発明の詳細な説明】
発明の背景
本発明は、ポストミックス式ジュースの分配、特にポストミックス式ジュースディスペンサー内に挿入する使捨て及びリサイクルの可能なジュース濃縮液包装に関する。
ポストミックス式ジュースディスペンサーは、これに使用するジュース濃縮液容器が使捨て及びリサイクルできるとして知られ、これはジュース容器、（ディスペンサー内のモーターにより作動させられる）一体式のポンプ、及び分配ノズルを備える。これまで、濃縮液ポンプはディスペンサー自体の一部であったが、ポンプの清掃保守の問題を克服するために、ポンプ（又は蠕動式ポンプのチューブのようなジュースと接触するポンプの少なくとも一部分）及び使捨て式の濃縮容器の部品としての分配用ノズルを設けることが実際的となった。この場合、作業者は、単に包装を外してこれと新しいもの又は別のものと交換して飲料の分配を続けることだけしか要求されない。清掃は不要である。
かかる包容のための一つの公知のポンプはポンプを往復させる柔軟なベローズを使用し、このポンプが混合室への濃縮液を独立したスラッグに分離する。
混合室への濃縮液の連続流を圧送することにより混合を改善することが本発明の目的である。
発明の概要
新規かつ改良された使捨て式のジュース濃縮液包装は、包装ハウジング及び一体形混合ノズルを備える。包装ハウジングは、容器ハウジングとポンプハウジングとを備える。ポンプは、（別の利用可能な形式のポンプにより提供される濃縮液の分離し間隔を空けた送出とは対照的に）混合ノズルに濃縮液の連続流を提供する空洞進行式ポンプ（又はモアヌポンプ）である。この連続流は薄いフィルム状に広げられ、これに水が向けられて優れた混合を与える。包装は作業者に包装交換の大方の時間を知らせる低レベル表示器、及びディスペンサーが自動読取りして正確な比率を設定することができる製品認識（ＩＤ）ラベルも備える。
【図面の簡単な説明】
本発明は、同様な要素に同様な番号を付した付属図面を参照し読まれたときに、以下の詳細な説明からより完全に理解されるであろう。図面において、
図１は輸送のために混合ノズルが上方に回された状態における本発明の濃縮液容器の前面、上側、左側の斜視図であり、
図２は図１の包装の正面図であるが、混合ノズルがディスペンサーへの挿入のために下方に回された状態の図であり、
図３は図１の包装を部分的に断面にした右側の側面図であり、
図４は包装の下方部分を通り図２の線４−４に沿って得られ、かつポンプ及び混合ノズルを含んだ断面図であり、
図５は図３の線５−５に沿って得られ、かつフロートを示している断面図であり、
図６は図７の線６−６に沿って得られ、かつ補強用リブを示している断面図であり、
図７は図３の線７−７に沿って得られ、かつ充填キャップ及びその通気弁を示している断面図であり、
図８は混合ノズルの分解斜視図であり、
図８Ａは混合用部材８０の平面図であり、
図８Ｂは図８Ａの線８Ｂ−８Ｂに沿って得られた混合用部材８０の側方断面図であり、
図９はフラグを示す部分的斜視図であり、そして
図１０は図１の線１０−１０に沿って得られたハウジング連結部を通る拡大断面図である。
好ましい実施例の詳細な説明
さて、図面を参照すれば、図１−１０は包装ハウジング１２及び混合ノズル１３を備えた濃縮液容器１０を示す。包装ハウジング１２は上方のジュース濃縮液容器ハウジング１４及び下方のポンプハウジング１６を備える。
容器ハウジング１４は、充填用開口２０を有する上壁１８、及び容器ハウジングの底部開口２６を囲んでいる下方周囲の連結用エッジ２４を有する側壁２２を備える。
ポンプハウジング１６はポンプ室２８を囲み、かつ上方周囲の取付け用エッジ３０を有し、このエッジは前記連結用エッジ２４と液漏れのない密閉連結で組み合う。
充填用プラグ３２が、前記充填用開口内に液漏れなく適合する。充填用プラグはそれだけでスナップ適合でき、あるいは好ましくは３３におけるよう、適所で誘導溶接、スピン溶接又は超音波溶接することもできる。充填用プラグは、液体が出ることは防ぐが濃縮液がポンプで押し出されて内部の空気圧が下がったときに空気が包装内に入り得る一方向通気弁３４を備える。これが包装の潰れを防止する。弁３４は複数の穴３６、柔軟なダイアフラム３８及び環状の弁座４０を持つ。
図１０を参照すれば、取付け用エッジ３０は、周囲の溝４２、固定用ビード４４及び複数のシール用ビード４６を持つ。連結用エッジ２４は、液漏れのない封鎖で前記溝４２の中に組み合って適合する周囲の舌状部４８を持つ。液漏れのない密閉を作ることを支援するために、シール材のビード４３が溝４２内に置かれることが好ましい。
空洞進行式ポンプ５０（又はモアヌポンプ）がポンプハウジング１６内のポンプ室２８内に置かれる。ポンプ５０はローター５４とステーター５６とを持つ。ステーターは柔軟なベローズ５８を有し、その端末部はステーターが半径方向に動くことを許す。停止具６０がステーターの手元側の端部と当たり、その軸方向の運動を防ぐ。ローター５４は、水密シール６４を通って駆動モーターと連結するためにポンプハウジングの外に伸びている駆動軸６２を持つ。ポンプハウジングは濃縮液の出口開口６５を持つ。
混合ノズル１３は、ポンプハウジング１６に回転可能に連結されかつ混合室６８を囲んでいるノズルハウジング６６、濃縮液の入口開口７２から前記混合室内への濃縮液の入口ポート７３に至る濃縮液通路７０、水の入口開口７４、前記水の入口開口７４から前記混合室内に至る水の通路、及び飲料排出用注ぎ口７８を備える。混合室６８は、遮断弁でもある混合用部材８０を持つ。部材８０の混合の態様は次のようである。即ち、ポンプから到来した濃縮液は円錐状の表面８２のまわりに強制的に広げられ、狭い環状スロット８４を経て混合室に入り、ここで水に当てられ広げられる。この水は、部材８０の凹んだ底部に対して向けられ次いでスロット８４に向かって広げられ、ここで濃縮液を激しく叩きこれと混合する。フランジ８６がスロットの下方で室６８内に半径方向に伸び、更に水と濃縮液とを撹拌し混合させることが好ましい。この激しい作用はこの２種の成分を完全に混合し、飲料の分配コップの底に（果肉を伴うオレンジジュースに生ずるような）未混合の固形物を見いだすことはない。部材８０は、その浮力を大きくするために発泡ポリエチレンで作られることが好ましい。フランジ８１は、部材８０の下側の凹みに当たる水がその回転を生ずるように角度を付けられることが好ましい。部材８０の動的な作動が動的な混合を助ける。
混合用部材８０の弁の態様は次のようである。即ち、これは、ディスペンサーの非作動時においては混合室内の濃縮ジュース内で浮き、弁座８８に対して座り、混合室内への濃縮液のいかなる流入も防止する。飲料が分配されるときは、部材８０はポンプからの濃縮液の流れにより押し下げされ、弁を開く。
容器ハウジングの水平断面は、２個の長い側壁と２個の短い側壁とを持った長方形である。容器ハウジングは、ジュース濃縮液の重量及びハウジング壁の薄いことにより、中央部で外側に膨らむ傾向がある。かかる膨らみを防ぐために、ハウジング１４の内側に補強用のリブ９０があることが好ましい。リブ９０は、ハウジング１４の長い壁の内側壁上の場所に好ましくは成型された１対の溝９２及び９４の中に滑り込む別の部材である。リブ９０は、これをリブ上の固定用ビードにより定位置に溶接し、又は好ましくは保持することができる。１個又は複数個のかかるルブを希望のように使うことができる。充填用開口２０の下方のリブ９０の上方部分は、充填用チューブと干渉しないように包装を完全に横切るようには伸びず、リブ９０は包装の下方部分に向かって包装を完全に横切る方向で伸びる。
本発明の包装の重要な態様は低レベル指示器９５を有することであり、このため、作業者は、包装が低いことを知り、従ってディスペンサーが空であるときを知り、ディスペンサーが空のときの更なる分配を防ぐであろう。これらの特徴は可動フロート９６の手段により達成される。好ましいフロート９６は、その一方の端部がハウジング１２に旋回可能に連結され、他方の端部は、液位がフロート又はそれより上にあるときの上方位置と、液位が上方位置から下方に下がった下方位置との間を自由に動く（浮く）。フロート９６は、長いアーム９８、ヒンジピン１００、液体の表面に浮くための翼１０２、及びフロートが最下方位置に落ちたときに狭いポケット部１０６内に下がるフラグ１０４を備える。フラグは赤外線放射に対するその不透明さを大きくさせるために白色顔料を有し形成されることが好ましく、かつ厚さは好ましくは約９．５mm（３／８インチ）である。フロートはその浮力を増すために好ましくは空気発泡ポリエチレンである。ディスペンサーは、前記フラグを検出するために前記溝の両側に赤外線投射器と受信器とを有するであろう。フラグは、ハウジング１４と１６とが一緒に連結される以前にポンプハウジング１６の上壁のヒンジポスト１０８に取り付けられることが好ましい。
包装１０は、図１に示されるようにポンプハウジングの左側の製品認識ラベル１１０を有することが好ましい。これは、一連の１本、２本又は３本の黒線のある輝いた表面を有することが好ましい。
混合用ノズル１３は、輸送及び取扱い中は所要空間を小さくしかつこれへの損傷を防ぐために上に回すことができ、そしてディスペンサーへの挿入の直前に下向きに回せるように包装ハウジング１２へのその連結部まわりで回転できることが好ましい。
包装１０は、包装を囲む収縮ラップのようなタンパーエビデンス(tamper evidence)手段を有することが好ましい。ハウジングは、好ましくはポリエチレンで射出成型される。
本発明の好ましい実施例が詳細に説明されたが、本発明の精神及び範囲から離れることなくこれに変化及び変形をなし得ることを理解すべきである。例えば、別の形状、寸法、数及び位置の補強用リブを使うことができる。また、別の形状、寸法及び位置のフロートを使うことができる。混合弁は回転できることが好ましいが、これは本質的なことではない。混合用部材は遮断弁であることが好ましいが、別の弁を使うことができ、従って混合用部材が可動であることは必ずしも必要ではない。流量計は米国特許５３８１９２６号の説明されたようなパドル車型流量計の使用が好ましいが適宜形式の流量計を使うことが可能である。充填キャップには別形式の通気弁を使用できる。包装はすべてリサイクル可能であり、ローターとハウジングとは高密度ポリエチレンであり、ダイアフラム３８は低密度ポリエチレンであり、そしてステーターは商標名サントプレン（Santoprene）で発売されているような軟質熱可塑性エラストマーであることが好ましい。
【図１】
0003862754.tif 000002
【図２】
0003862754.tif 000003
【図３】
0003862754.tif 000004
【図４】
0003862754.tif 000005
【図５】
0003862754.tif 000006
【図１０】
0003862754.tif 000007
【図６】
0003862754.tif 000008
【図７】
0003862754.tif 000009
【図８】
0003862754.tif 000010
【図８Ａ】
0003862754.tif 000011
【図８Ｂ】
0003862754.tif 000012
【図８】
0003862754.tif 000013
【図９】
0003862754.tif 000014